(57)【特許請求の範囲】
【請求項１】
マザーボード(3)上に植立して互いに対向配置された一対の第１、第２筐体(10,11)と、前記第１、第２筐体(10,11)に形成された複数の第１、第２案内溝(12,13)と、前記第１、第２案内溝(12,13)の一方又は両方に形成された筐体側アース電極(25)及び筐体側信号電極(26)と、前記第１、第２案内溝(12,13)間に着脱自在に挿入されたプリント基板(1)と、前記各プリント基板(1)に設けられ前記各プリント基板(1)に対して作動自在な接続体(17,18)と、前記接続体(17,18)に形成された基板側信号電極(31)及び基板側アース電極(32)と、前記各プリント基板(1)に設けられ前記接続体(17,18)を作動させるためのロック手段(21)と、を備え、
前記プリント基板(1)を前記各案内溝(12,13)に挿入した場合、前記各接続体(17,18)が前記各案内溝(12,13)に係合し、前記ロック手段(21)により前記接続体(17,18)を前記各プリント基板(1)から作動させることにより、前記筐体側アース電極(25)及び筐体側信号電極(26)に対して前記基板側信号電極(31)及び基板側アース電極(32)を電気的に接続することを特徴とするカード検出装置。
【請求項２】
前記接続体(17,18)は、前記プリント基板(1)の両端(1a,1b)に設けられていることを特徴とする請求項１記載のカード検出装置。
【請求項３】
前記ロック手段(21)は、前記プリント基板(1)の上端面(1c)に摺動自在に設けられると共に、前記プリント基板(1)と前記接続体(17,18)との間に挿入されることを特徴とする請求項１又は２記載のカード検出装置。
【請求項４】
前記プリント基板(1)には、前記接続体(17,18)を有する放熱板(15)が設けられていることを特徴とする請求項１ないし３の何れかに記載のカード検出装置。
【発明の詳細な説明】
【技術分野】
【０００１】
本発明は、カード検出装置に関し、特に、カードとして用いるプリント基板に設けた接続体を筐体の案内溝に係合させ、ピン等を用いることなく、ロック手段で接続体を案内溝の筐体側電極に確実に接続させ、用意にカードの装着を検出するための新規な改良に関する。
【背景技術】
【０００２】
従来、用いられていたこの種のカード検出装置としては、社内で製作し、特許出願等を行っていないため、特許文献等を開示していないが、その概略的構成は図４に示される通りである。
すなわち、図４において符号１で示されるものは、カードとしてのプリント基板であり、このプリント基板１には専用のピンを有するコネクタ２が設けられている。
【０００３】
前記プリント基板１に対応するマザーボード３には、前記コネクタ２に対応する受けコネクタ４が設けられ、前記プリント基板１のコネクタ２を受けコネクタ４に接続することにより、カードとしてのプリント基板１をマザーボード３に装着することができる。
【０００４】
前記マザーボード３には、前記受けコネクタ４に接続されたカード検出回路５が設けられており、前記プリント基板１のコネクタ２が受けコネクタ４に接続され、プリント基板１がマザーボード３に接続されると、前記カード検出回路５によってプリント基板１の挿入が検出される。
【発明の開示】
【発明が解決しようとする課題】
【０００５】
従来のカード検出装置は、以上のように構成されているため、次のような課題が存在していた。
すなわち、カードとしてのプリント基板のマザーボードへの装着確認をするためには、プリント基板に複数の専用のピンを有する専用のコネクタを用いなければならず、専用の規定ピンを設けることは多大のコストを要していた。
【課題を解決するための手段】
【０００６】
本発明によるカード検出装置は、マザーボード上に植立して互いに対向配置された一対の第１、第２筐体と、前記第１、第２筐体に形成された複数の第１、第２案内溝と、前記第１、第２案内溝の一方又は両方に形成された筐体側アース電極及び筐体側信号電極と、前記第１、第２案内溝間に着脱自在に挿入されたプリント基板と、前記各プリント基板に設けられ前記各プリント基板に対して作動自在な接続体と、前記接続体に形成された基板側信号電極及び基板側アース電極と、前記各プリント基板に設けられ前記接続体を作動させるためのロック手段と、を備え、前記プリント基板を前記各案内溝に挿入した場合、前記各接続体が前記各案内溝に係合し、前記ロック手段により前記接続体を前記各プリント基板から作動させることにより、前記筐体側アース電極及び筐体側信号電極に対して前記基板側信号電極及び基板側アース電極を電気的に接続する構成であり、また、前記接続体は、前記プリント基板の両端に設けられている構成であり、また、前記ロック手段は、前記プリント基板の上端面に摺動自在に設けられると共に、前記プリント基板と前記接続体との間に挿入される構成であり、また、前記プリント基板には、前記接続体を有する放熱板が設けられている構成である。
【発明の効果】
【０００７】
本発明によるカード検出装置は、以上のように構成されているため、次のような効果を得ることができる。
すなわち、筐体に設けた案内溝に筐体側アース電極と筐体側信号電極を設け、カードとしてのプリント基板に基板側信号電極と基板側アース電極とを有する接続体を設け、各プリント基板を案内溝に係合させ、ロック手段で接続体を作動させて案内溝に押圧することにより、従来のピン等を用いることなく、筐体側とプリント基板側の各電極が確実に接続される。
さらに、前記接続体には放熱板が設けられているため、プリント基板側の冷却を行うことができる。
【発明を実施するための最良の形態】
【０００８】
本発明は、カードとして用いるプリント基板に設けた接続体を筐体の案内溝に係合させ、ピン等を用いることなく、ロック手段で接続体を案内溝の筐体側電極に確実に接続させ、容易にカードの装着を検出するようにしたカード検出装置を提供することを目的とする。
【実施例】
【０００９】
以下、図面と共に本発明によるカード検出装置の好適な実施の形態について説明する。
尚、従来例と同一又は同等部分には、同一符号を付して説明する。
図１において、符号３で示されるものは多数のＩＣ３ａを有するマザーボードであり、このマザーボード３の各端部に形成された一対の取付部３Ａ，３Ｂには、第１、第２筐体１０，１１が互いに対向し、植立して固定配設されている。
【００１０】
前記第１筐体１０の内面には、垂直方向に向けて形成された多数の第１案内溝１２が水平方向に並設して形成されており、前記第２筐体１１の内面には、垂直方向に向けて形成された多数の第２案内溝１３が水平方向に並設して形成されている。
尚、前記各筐体１０，１１の外面（前記第１筐体１０の外面は図示せず）には、放熱用の凹凸面１４が形成されている。
【００１１】
前記各筐体１０，１１間には、前記各案内溝１２，１３を介してカードとしての複数のプリント基板１が交換自在な構成で着脱自在に設けられており、このプリント基板１には、例えば、サーボアンプ等の発熱性の素子を有する回路パターンが形成されている。
【００１２】
前記各プリント基板１の一面（すなわち、前記発熱性の素子が設けられている回路パターンが配設されている側）には、凹凸状の放熱板１５（一部を切欠いて図示）が取付ねじ１６を介して設けられ、この放熱板１５の両端、すなわち、前記プリント基板１の両端である第１端１ａ及び第２端１ｂの位置には、長手棒状をなす一対の接続体１７，１８が設けられている。
【００１３】
前記接続体１７，１８は、図２に示されるように、前記放熱板１５から一体状に突出する複数の支持体２０に対して凹状溝１８ａが係合するように構成されており、前記支持体２０に対して前記凹状溝１８ａはギャップ１８ｂを有する構成で、前記接続体１７，１８は前記放熱板１５及びプリント基板１に対して遊嵌状態、すなわち、多少ガタを有する作動自在状態で装着され、ねじ３０によって抜け止めがなされている。
【００１４】
前記プリント基板１の上端面１ｃには、ロック手段２１が矢印Ａの方向に沿って往復移動自在に設けられており、このロック手段２１は前記上端面１ｃに跨る状態で凹状に形成され、その一端に舌片２１ａが形成されている。
従って、前記舌片２１ａを前記放熱板１５と接続体１８との間の隙間Ｄ内に挿入することにより、前記放熱板１５及びプリント基板１に対して前記接続体１７，１８がガタのないロック状態となるように構成されている。
【００１５】
前記各筐体１０，１１の各案内溝１２，１３には、図３に示されるように、その長手方向に沿って互いに離間して独立形成された筐体側アース電極２５及び筐体側信号電極２６が形成され、前記筐体側アース電極２５は接地されると共に、前記筐体側信号電極２６には筐体側検出信号２７（例えば、故障診断時のカードなし等として用いる）を出力するためのカード検出回路５が接続されている。
【００１６】
前記接続体１７，１８には、図３に示されるように、その長手方向に沿って互いに離間して独立形成された基板側信号電極３１及び基板側アース電極３２が形成され、前記基板側信号電極３１にはカード側検出信号３３（例えば、サーボアンプのサーボＯＮへのインターロック等に用いる）を出力するためのカード挿入検出回路３４が接続されると共に、前記基板側アース電極３２には接地されている。
【００１７】
前述の構成において、カードとしての前記プリント基板１を前記各筐体１０，１１間に各案内溝１２，１３を介して挿入すると、挿入してロック手段２１を用いない状態では、前記筐体側アース電極２５と基板側信号電極３１との接続及び前記筐体側信号電極２６と基板側アース電極３２との接続は、前記ガタにより接続体１７，１８がアンロック状態であるため、前記カード側検出信号３３は「Ｄ」か「１」の不安定な状態、前記筐体側検出信号２７は「１」となる。
【００１８】
次に、前述の状態において、前記各接続体１７，１８と放熱板１５との間の隙間Ｄ内に前記ロック手段２１を移動させてその舌片２１ａを挿入することにより、接続体１７，１８は外側へ作動されて前記ガタがなくなり、ロック状態となる。
このロック状態では、前記各電極２５と３１及び各電極２６と３２は、互いに確実に接続され、前記カード側検出信号３３及び筐体側検出信号２７は「０」となり、プリント基板１の前記マザーボード３側への装着が完了したことを示している。
尚、前述のロック状態と各検出信号２７，３３の検出状態は、表１の第１表に示される通りである。
【００１９】
【表１】
0004941914.tif 000002
【図面の簡単な説明】
【００２０】
【図１】本発明によるカード検出装置を示す分解斜視図である。
【図２】図１の要部の拡大平面図である。
【図３】図１の要部の拡大詳細構成図である。
【図４】従来のカード検出装置を示す構成図である。
【符号の説明】
【００２１】
１    プリント基板
１ａ    第１端
１ｂ    第２端
１ｃ    上端面
３    マザーボード
３Ａ，３Ｂ    取付部
５    カード検出回路
１０    第１筐体
１１    第２筐体
１２    第１案内溝
１３    第２案内溝
１５    放熱板
１７，１８    接続体
２０    支持体
２１    ロック手段
２１ａ    舌片
Ｄ    隙間
１８ａ    凹状溝
２５    筐体側アース電極
２６    筐体側信号電極
２７    筐体側検出信号
３０    ねじ
３１    基板側信号電極
３２    基板側アース電極
【図１】
0004941914.tif 000003
【図２】
0004941914.tif 000004
【図３】
0004941914.tif 000005
【図４】
0004941914.tif 000006